(57)【特許請求の範囲】
【請求項１】
筐体状の本体内の前後方向中央部に左右内側面に沿って、横断面が底辺及び両脚辺からなるコ字形の２本の柱材を、コ字の両脚辺の先端が互いにむきあう状態に配置した左右一対の第１の縦柱２，２´と、
これら左右一対の縦柱２、２´の上下において、前記断面コ字形の、同一方向に面した脚辺間をそれぞれ連結する上下の横柱３，３´と、
横断面がそれぞれ前記コ字形の２本の柱材のいずれかを、そのコ字の両脚辺の先端が、前記左右一対の第１の縦柱２，２´のいずれかのコ字の両脚辺の先端と所定の間隔を保ってむきあわせ、かつ、前記コ字形の２本の柱材の残りを、前記左右一対の第１の縦柱２，２´の残りのコ字の両脚辺の先端と所定の間隔を保ってむきあわせた状態で配置し、それらの上下が前記横柱３，３´に一体的に連結された左右一対の第２の縦柱２Ａ，２Ａ´と、
この左右一対の第２の縦柱２Ａ，２Ａ´間に掛け渡され、縦方向の位置を任意に設定可能な共通プレート４並びにユニット支え６と、
このユニット支え６に設けられ、内部に電気機器を収納したユニット５と、
前記共通プレートに取り付けられる端子装置と、
前記第２の縦柱２Ａ，２Ａ´の、第１の縦柱２，２´との対向面に設けられ、かつ、第２の縦柱２Ａ，２Ａ´の断面コ字形を形成する脚辺と平行な面にそれぞれスリットが明けられた配線ダクト１０，１０´とからなり、
前記電気機器の大きさに応じて前記ユニット支え６並びに共通プレート４の配置間隔を決定できると共に、前記配線ダクト１０，１０´の内部に電気機器の配線を通し、前記配線ダクト１０，１０´の前記スリットから配線を導出入させることを特徴とする制御盤。
【発明の詳細な説明】
【０００１】
【発明の属する技術分野】
本発明は、制御盤に係り、特に各種の収納電気機器に対応でき且つ、筐体構造の共通化を図った制御盤に関する。
【０００２】
【従来の技術】
制御、計測、保護などの動作を受け持つ継電器、あるいは他の装置を遠方制御するための調整装置を具備する従来の一般の制御盤の一例を、図１１および図１１のIV−IV線に沿う断面を示す図１２、Ｖ−Ｖ線に沿う断面を示す図１３、並びにVI−VI線に沿う断面を示す図１４を参照して説明する。
【０００３】
従来の収納部品の取り付けは、フレーム本体２１の四隅の柱（図示せず）の他に、図１４で示すように、フレーム本体２１内の前後方向中間部に配設された左右一対の縦柱２２，２２´を備える。縦柱２２，２２´間に、図１２、図１３で示すように、上部ブス取り付け板２３が取り付けられ、同様にユニットの大きさに応じて鉄板から切り取られたユニット取り付け板２４が縦柱２２間に固定される。２５は各ユニット２８内の収納機器と電気的に接続する端子を取り付けられた端子台取り付け板である。２７は、電気機器を収納したユニット２８を支えるユニット支えで、ユニット取り付け板２４に装着されている。縦柱２２間に設けられた下部ブス取り付け板２６に、ブス３０が設置される。縦柱２２，２２´間に設けられた取り付け板２３や２５に、中継端子２９やケーブル端子３１が縦方向に設けられる。ダクト取り付け板３２は縦柱２２間に設けられ、それぞれのユニットに内蔵された電気機器の電気機器用の配線を収納する配線ダクト３７が設けられる。
【０００４】
従来の制御盤においては、ユニット２８に収納される電気機器の形状に応じてユニットの大きさが異なる。このためユニットの大きさに応じて、鉄板を切断し、縦柱２２間に設けられるユニット取り付け板２４の大きさを決定していた。このため制御盤の製造に時間がかかり、共通性がなくコスト高になった。ユニット取り付け板を制御板内にはりつめるので放熱効果が十分でなかった。また、現場において鉄板を切断して取り付け板を製造するので、作業性悪くなり、ミスが生じやすくなる。更に、制御盤の重量としても、重くなり制御盤の移動も困難である。一方設計面においても、内部収納装置が決定してから、内部の配置設計をしてパネルの製作が始まるので作業効率が悪く、時間がかかり、コストが高くなる。
【０００５】
更に図１４に示すように、本体フレーム内の各ユニットを収容する前面側及び後面側の両側に配線ダクト３７を設けるので、設計、製造が複雑になり、且つ両面に跨る電気的接続が困難である。
【０００６】
【発明が解決しようとする課題】
本発明は、上記のようなユニットに収納される各種電気機器の形状、種類、大きさに基づき、その都度取り付け板の設計、製造を必要とした従来の制御盤の欠点を克服し、収納装置の種類、形状如何に拘わらず、作業性が高く、部品に共通性がある制御盤を提供することを目的とする。
【０００７】
更に本発明の他の目的は、各ユニットからの配線を収納する配線ダクトを前面と後面用を共通にし、両面に跨る電気的接続が容易になる制御盤を提供することを目的とする。
【０００８】
【課題を解決するための手段】
本発明の制御盤は、筐体状の本体内の前後方向中央部に左右内側面に沿って、横断面が底辺及び両脚辺からなるコ字形の２本の柱材を、コ字の両脚辺の先端が互いにむきあう状態に配置した左右一対の第１の縦柱２，２´と、これら左右一対の縦柱２、２´の上下において、前記断面コ字形の、同一方向に面した脚辺間をそれぞれ連結する上下の横柱３，３´と、横断面がそれぞれ前記コ字形の２本の柱材のいずれかを、そのコ字の両脚辺の先端が、前記左右一対の第１の縦柱２，２´のいずれかのコ字の両脚辺の先端と所定の間隔を保ってむきあわせ、かつ、前記コ字形の２本の柱材の残りを、前記左右一対の第１の縦柱２，２´の残りのコ字の両脚辺の先端と所定の間隔を保ってむきあわせた状態で配置し、それらの上下が前記横柱３，３´に一体的に連結された左右一対の第２の縦柱２Ａ，２Ａ´と、この左右一対の第２の縦柱２Ａ，２Ａ´間に掛け渡され、縦方向の位置を任意に設定可能な共通プレート４並びにユニット支え６と、このユニット支え６に設けられ、内部に電気機器を収納したユニット５と、前記共通プレートに取り付けられる端子装置と、前記第２の縦柱２Ａ，２Ａ´の、第１の縦柱２，２´との対向面に設けられ、かつ、第２の縦柱２Ａ，２Ａ´の断面コ字形を形成する脚辺と平行な面にそれぞれスリットが明けられた配線ダクト１０，１０´とからなり、前記電気機器の大きさに応じて前記ユニット支え６並びに共通プレート４の配置間隔を決定できると共に、前記配線ダクト１０，１０´の内部に電気機器の配線を通し、前記配線ダクト１０，１０´の前記スリットから配線を導出入させることを特徴とする。
【００１０】
【発明の実施の形態】
以下本発明を、図示する実施の形態について説明する。図1は一実施の形態の制御盤の斜視図を示すもので、図２は図１のＩ−Ｉ線に沿う断面図、図３は図１のII−II線に沿う断面図、図４は同じくIII−III線に沿う断面図、図５は共通プレートを示している。図６は、図２の一部を破断して示す斜視図である。図７はユニットの斜視図、図８は図２に示すケーブル端子の概略図、図９は図２，３に示す中継端子の概略図、図１０は同じく図２，３に示すブスの概略斜視図である。
【００１１】
同一部分を同一符号で示す図１乃至図１０おいて、図４で示すように、本体１内の前後方向中間部に左右一対の第１の縦柱２，２´を配設する。この縦柱２，２´間に、図２及び図３で示すように、横柱３を張架する。この縦柱２，２´はフレーム取り付け用ガイドレールを介して、本体１のフレームに装着されるが、本発明の要部でないので説明を省略する。横柱は上部の横柱３と下部の横柱３´からなり、この両横柱３と３´間に第２の縦柱２Ａと２Ａ´を装着する。この第２の縦柱２Ａと２Ａ´間に、図５に詳細構造を示す本発明の特徴である共通プレート４を取り付ける。この共通プレート４は、上下方向に対し、任意所望の間隔で第２の縦柱２Ａと２Ａ´間に設けられる。換言すれば、はしごを形成してなるものである。各種電気機器を内蔵したユニット５は、共通プレートと同様に、第２の縦柱２Ａと２Ａ´間に取り付けられたユニット支え６の上に設置される。
【００１２】
上部横柱３と、第２の縦柱２Ａと２Ａ´間に設けられた共通プレート４との間に、図９と１０に概略構造を示すブス８並びに中継端子９を図２及び図３で示すように取り付ける。更に、図２で示すように、上下に配置された共通プレート４間にケーブル端子７が取り付けられ、例えばユニット５の端子１１に係合する端子１２を備えている。なお説明の都合上ケーブル端子７、ブス８及び中継端子９を端子装置と呼ぶ。
【００１３】
第２の縦柱２Ａと２Ａ′と本体１のフレームの内側に支持された一対の第１の縦柱２，２´との間に、各ユニット等からの配線を通す配線ダクト１０、１０´が縦方向に配設される。一対の配線ダクト１０と１０´は、例えば塩化ビニールから構成され、図４で示すように、その一つの面が第２の縦柱２Ａ，２Ａ´にボルトで固定するためのボルトを通すボルト孔１３を設け、前面と後面（図４の上面と下面）には配線を引き出すスリット１４が明けられている。
【００１４】
この配置関係は、図４に示すようにユニット５の両側に配線ダクト１０と１０′が設けられ、ユニット５のケーブル端子７からの配線がダクトに導出入される。ケーブル端子７は図８に示すように、端子１２を有する端子ボックス１５を備えており、図示しないその他の装置と接続される配線が引き出されている。図２に示すようにブス８は、上部と下部ブスを有し、図１０に示すように、配線が相互接続できるようになっている。中継端子９は図９に示すように、ケーブル端子７とほぼ同様に構成される。
【００１５】
本発明の一実施の形態では、第２の縦柱２Ａ（２Ａ′）間に設けられる共通プレート４は、はしご形態をしており、各種の収納電気機器の大きさに対応するユニット５に応じて、任意に簡単に取り付けることができる。ユニット支え６は前述のごとくほぼ共通プレート４（４′）と同様に第２の縦柱に取り付けられるが、ユニット支え６はその上にユニットが設置されたとき、ユニットが移動しないように支える縁（図示せず）が設けられている。共通プレート４には、各種の端子装置例えばケーブル端子７、ブス８，中継端子が取り付けられ、それらの形状、大きさに応じて第２の縦柱間の位置が決定される。
【００１６】
ユニット５、各種端子装置７，８，９から配線される電線またはケーブルを配線ダクト１０（１０′）に収納する。この配線ダクト１０は前後にスリット１４が明けられているので、容易に前後面に配線の導出入ができるので配線作業が容易になり、工程を短縮できる。このように本発明においては、共通柱及び共通プレートを使用することにより、いかなる収納制御装置であっても、短時間で容易に段取り、制御装置の取り付け、配線ができる。
【００１７】
また、すべての配線が終了した後の変更や改造においても、容易にユニットの移動が可能であり、収納する電気機器の変更・追加があっても、共通プレートの移動や交換することで対応できる。
【００１８】
【発明の効果】
このように本発明によれば、内部に収納する電気機器の形状、大きさに拘わらず、共通の縦、横柱、並びに共通プレートで対応ができ、段取り、収納制御装置の取り付け、配線が容易で作業性が一段と向上できる。ユニットの大きさに応じて、鉄板を切断し、縦柱２２間に設けられるユニット取り付け板２５の大きさを決定した従来の制御盤に比べ、その必要が亡く単に共通プレートの配置を換えるのみで対応できるので、制御盤の製造が短縮される。また従来はユニット取り付け板を制御盤内にはりつめるので放熱効果が十分でなかったが、本発明では共通プレートによりはしご形状になるので、放熱効果は改善される。。また、現場において板を切断して取り付け板を製造する必要がないので、作業性の改善、ミスもなくなる。
【００１９】
更に従来の装置では、各ユニットの前面、後面の両側に配線ダクトを設けていたが、本発明では、左右に一対の前後にスリットを有する配線ダクトを設けることにより、設計、製造が簡単になり、且つ両面に跨る電気的接続が容易にできる。また、共通部品のストック化が可能となるので、短い納期の場合の対応も可能になる利点がある。
【図面の簡単な説明】
【図１】本発明の一実施の形態の制御盤の斜視図である。
【図２】図１のＩ−Ｉ線に沿う断面図である。
【図３】図１のII−II線に沿う断面図である。
【図４】図１の同じくIII−III線に沿う断面図である。
【図５】本発明による共通プレートの斜視図である。
【図６】図２の一部を破断して示す斜視図である。
【図７】本発明の一実施例のユニットの斜視図である。
【図８】図２のケーブル端子の斜視図である。
【図９】図２と図３に示す中継端子の概略図である。
【図１０】図２と図３に示すブスの概略斜視図である。
【図１１】従来の通常の制御盤の斜視図である。
【図１２】図１１のIV−IV線に沿う断面図である。
【図１３】図１１のＶ−Ｖ線に沿う断面図である。
【図１４】図１１のVI−VI線に沿う断面図である。
【符号の説明】
1        本体
2        第１の縦柱
２Ａ     第２の縦柱
3        横柱
４       共通プレート
５       ユニット
６      ユニット支え
７      ケーブル端子
８      ブス
９      中継端子
１０    配線ダクト
１４    配線ダクトのスリット
【図１】
0004045075.tif 000002
【図２】
0004045075.tif 000003
【図３】
0004045075.tif 000004
【図４】
0004045075.tif 000005
【図５】
0004045075.tif 000006
【図６】
0004045075.tif 000007
【図７】
0004045075.tif 000008
【図８】
0004045075.tif 000009
【図９】
0004045075.tif 000010
【図１０】
0004045075.tif 000011
【図１１】
0004045075.tif 000012
【図１２】
0004045075.tif 000013
【図１３】
0004045075.tif 000014
【図１４】
0004045075.tif 000015